(57)【特許請求の範囲】
【請求項１】
モータと、
前記モータの駆動力によってシリンダ内を往復動するピストンと、
前記ピストンによる前記シリンダ内の空気室の圧力変動を介して打撃され、その打撃力を先端工具に伝達するストライカを有し、
前記ピストンと前記ストライカが収容される空間を外気から遮断して密閉空間として構成した打撃工具において、
前記密閉空間の一部を構成し前記ピストンを往復動させるクランクシャフトを収容するクランク室に、潤滑オイルを供給するための開口部を設けると共に、前記開口部を密閉するクランクカバーを設け、
前記クランクカバーに、前記密閉空間と外気との間に所定以上の圧力差が生じたときに空気を一方向にのみ通すバルブを設けたことを特徴とする打撃工具。
【請求項２】
前記バルブはゴム製のワンウェイバルブであることを特徴とする請求項１に記載の打撃工具。
【請求項３】
前記バルブを押さえるためのプレートを設け、
前記プレートに前記バルブの開口と連通する空気孔を設けたことを特徴とする請求項１又は２に記載の打撃工具。
【請求項４】
前記クランクカバーの前記バルブを装着する貫通穴の内壁に円周溝を設け、
前記バルブに円環状の凸部を設け、
前記バルブの凸部を前記円周溝に嵌挿させることによって前記バルブを前記クランクカバーに装着したことを特徴とする請求項３に記載の打撃工具。
【請求項５】
モータと、
前記モータの駆動力によってシリンダ内を往復動するピストンと、
前記ピストンによる前記シリンダ内の空気室の圧力変動を介して打撃され、その打撃力を先端工具に伝達するストライカを有し、
前記ピストンと前記ストライカが収容される空間を外気から遮断して密閉空間として構成した打撃工具において、
前記密閉空間の一部を構成し前記ピストンを往復動させるクランクシャフトを収容するクランク室を画定するクランクケースを有し、
前記クランク室と外気との間に所定以上の圧力差が生じた時に空気を一方向にのみ通すワンウェイバルブを設け、
前記クランクケースにボルトによって固定され、前記ワンウェイバルブの開口と連通する空気孔を有するプレートにより前記ワンウェイバルブが取付けられることを特徴とする打撃工具。
【発明の詳細な説明】
【技術分野】
【０００１】
本発明は打撃工具に関し、特に打撃機構部の密閉空間内の気圧変化を効果的に調整することができるようにしたものである。
【背景技術】
【０００２】
電動モータにより駆動され先端工具へ回転力もしくは打撃力、またはそれら両者を与えることによって、コンクリートやレンガ等の被削材（ワーク）に孔をあけ、または孔を削る打撃工具としてハンマドリルが知られている。従来の電気式のハンマドリルの一例を図６を用いて説明する。図６は従来のハンマドリルの側面図であり、主要部を断面図にて示したものである。ハンマドリル１０１は、モータ３１を駆動源とし、ピストン１４を前後に往復移動させることによってセカンドハンマ２０に間欠的に衝突し、セカンドハンマ２０から図示しない先端工具に打撃力が伝達される。ハンマドリル１０１の外郭を形成するハウジング部分は、モータ３１からの動力伝達機構部を収容するクランクケース１０２と、クランクケース１０２の下方に設けられモータ３１を収容するモータハウジング１０８と、クランクケース１０２の後方に取り付けられ把持部が形成されるハンドルハウジング３と、往復移動するピストン９の移動空間を画定する円筒状のシリンダ１７を保持するシリンダケース４により主に構成される。これらは例えばプラスチック等によって分割構造で構成できる。ハンドルハウジング３には、下端に電源ケーブル３０が接続され、把持部分にはトリガ２９が設けられる。トリガ２９を操作することにより、外部電源からモータ３１に供給する電力量を調整でき、モータ３１の回転数を調整できる。
【０００３】
モータ３１はクランクケース１０２の下部に設けられ、その回転駆動力を出力する出力軸３２はシリンダ１７の軸方向に対して垂直になるよう配置される。モータ３１の上方へ延出する出力軸３２の上端にはピニオンギヤ３５が取り付けられる。出力軸３２はベアリング３４によって回転可能なように保持される。また出力軸３２にはモータ３１を冷却するための冷却ファン３３が設けられる。ピニオンギヤ３５を挟んで後方側には、クランク軸３８が垂直方向に配置され、ベアリング３９とメタル３６によって回転可能に支承される。クランク軸３８の下端には、ピニオンギヤ３５と噛合するギヤ３７が同軸固定され、上端にはクランクウェイト１０が固定される。
【０００４】
クランクウェイト１０にはクランクシャフト１１によってコンロッド１２が固定される。コンロッド１２の軸方向前端には、ピストンピン１３によってピストン１４が固定され、これらの部材で構成される駆動伝達部によって、モータ３１の回転運動がピストン１４の往復運動に変換される。ピストン１４はシリンダ１７の内部において摺動可能に設けられる。シリンダ１７内の前端側にはストライカ１９が設けられ、ストライカ１９もシリンダ１７の内部において前後方向に摺動可能である。シリンダ１７内のピストン１４とストライカ１９との間には、空気室１５が画成され、ストライカ１９が動く空間は、シリンダ周辺部１８と連通孔１７ａ、１７ｂによって接続されている。ピストン１４の往復運動によって空気室の内圧が変動するため、この内圧の変動によってストライカ１９がシリンダ１７内を前後方向に往復動してセカンドハンマ２０に間欠的に衝突するため、セカンドハンマ２０から図示しない先端工具に打撃力が伝達される。
【０００５】
リテーナスリーブ２２は、シリンダ１７と共にシリンダ部を構成するものであって、シリンダ１７の前方側に取り付けられる。リテーナスリーブ２２の先端部には工具保持部７が設けられ、取付穴２４に図示せぬ先端工具が着脱自在に取付けられる。ストライカ１９が前方に移動した際に生ずる打撃力は先端工具に伝達される。この衝突による衝撃力によって、図示しない先端工具が被削材を破砕し、被削材に穿孔穴を生じさせる。ストライカ１９の前方側を収容するリテーナスリーブ２２は、ケース５とグリップ６によって保持される。
【０００６】
次に、従来のハンマドリル１０１の動作について説明する。作業者は、ハンドルハウジング３を手で把持した状態で、図示せぬ先端工具を図示せぬ被削材に押し当てる。次に、作業者はトリガ２９を引き、モータ３１を回転させる。モータ３１の回転駆動力は、ピニオンギヤ３５及びギヤ３７を介してクランク軸３８に伝達される。クランク軸３８の回転は、駆動伝達部（往復運動変換部）を構成するクランクウェイト１０、クランクシャフト１１、コンロッド１２、ピストン１４によって、シリンダ１７内におけるピストン１４の往復運動に変換される。ピストン１４の往復運動により空気室１５中の空気の圧力は上昇及び低下を繰り返し、この圧力変化によってストライカ１９に打撃力を付与する。ストライカ１９が前進してセカンドハンマ２０の後端に衝突し、セカンドハンマ２０は、先端工具に打撃力を付与する。
【０００７】
シリンダ１７の内部に装着されるセカンドハンマ２０は打撃機構部を構成し、図示しない先端工具の端部と当接可能なように配置される。打撃機構部には潤滑剤が充填され、各々の軸にはオイルシール、Ｏリング１６、２１を配置し、シリンダ周辺部１８と共に所定の密閉空間を形成する。密閉空間は外気と遮断され、潤滑剤が外部へ流出するのを防止する。この密閉空間の範囲を示したのが図７である。図７は、従来のハンマドリル１０１における密閉空間を説明するための図である。太線で示す部分が密閉空間７０となる。密閉空間の前端位置はＯリング２１の部分であるが、セカンドハンマ２０は前後に移動するので、密閉空間の前端位置は固定ではない。
【０００８】
上述した従来の打撃工具は、運転すると打撃機構部の発熱により機体内部の温度が上昇し、密閉空間７０の内部の空気が膨張して、内部圧力が上昇する。この時膨張した空気は潤滑剤と共にシール箇所のどこかから機体外へ流出する。打撃工具の運転終了後に、モータを停止させ放置すると高温になっていた本体の温度は常温まで下がり、それに伴い打撃機構部の内部の圧力も低下する。この際、本体使用時の打撃機構部内部の圧力上昇のためにセカンドハンマ２０のシール材部から外部へ空気が流出した分、打撃機構部内部の圧力は本体使用前と比較して負圧になる。更に、シール材の気密性が高いために常温時の圧力差では外部から打撃機構部の内部に空気が流入することはない。従って、打撃工具を再使用する時には、空気室１５内の気圧が低下したことで圧縮力が低下し、ストライカ１９の往復運動の振幅が小さくなって、ストライカ１９が打撃点まで行かずに戻ってしまう恐れがある。あるいは、ストライカ１９の打撃点における速度が小さく、はね返り速度が小さいために、ストライカ１９の振動エネルギーが増幅されずに打撃力が低下する恐れがあった。
【０００９】
従来のハンマドリル１０１における密閉空間７０の内部圧力変動の影響を低減させる技術として、例えば特許文献１の技術が知られている。特許文献１は、クランクケースに副室を設け、クランクケース（打撃機構部）と副室の間の壁に貫通孔を設け、貫通孔にバルブを設けるようにした。副室には外気と通じる呼吸孔が設けられ、呼吸孔の外気側にフェルトが設けられ、潤滑剤の吸着を行い外部への潤滑剤の流出を防止している。この構成によって、密閉室の圧力変動の影響をクランクケース（打撃機構部）側と副室との間の空気の移動によって除去するようにした。
【先行技術文献】
【特許文献】
【００１０】
【特許文献１】特開２００７−９８７号公報
【発明の概要】
【発明が解決しようとする課題】
【００１１】
しかしながら、特許文献１の技術はクランクケース（打撃機構部）側と副室との間には圧力調整機構を設け、圧力調整機構は回転駆動されるコンロッドと当接する位置に配設され、コンロッドの回転運動に連動して作動する構成としたので、コンロッドが回転しない状況においては圧力調整機構が開かずに打撃工具を再使用する時に空気室内の圧縮力が低下した状態のままとなる恐れがある。
【００１２】
本発明は上記背景に鑑みてなされたもので、その目的は、打撃不良を防ぐことができ、安定して打撃を行うことができる打撃工具を提供することである。
【００１３】
本発明の他の目的は、打撃機構部の密閉空間内の気圧変化を効果的に調整することができる打撃工具を提供することにある。
【００１４】
本発明のさらに他の目的は、部品の変更箇所を最小に留めて、打撃機構部の密閉空間内の気圧変化を調整することができる内部圧力変動抑制機構を安価に実現することにある。
【課題を解決するための手段】
【００１５】
本願において開示される発明のうち代表的なものの特徴を説明すれば次の通りである。
【００１６】
本発明の一つの特徴によれば、モータと、モータの駆動力によってシリンダ内を往復動するピストンと、ピストンによるシリンダ内の空気室の圧力変動を介して打撃され、その打撃力を先端工具に伝達するストライカを有し、ピストンとストライカが収容される空間を外気から遮断して密閉空間として構成した打撃工具において、外気から密閉空間へのみ空気を通す圧力調整手段を設けた。圧力調整手段は所定以上の圧力差を生じたときに空気を一方向にのみ通すバルブであり、例えばゴム製のワンウェイバルブである。
【００１７】
本発明の他の特徴によれば、密閉空間の一部を構成しピストンを往復動させるクランクシャフトを収容するクランク室に、潤滑オイルを供給するための開口部を設け、開口部を密閉するクランクカバーを設け、外気から密閉空間へのみ空気を通すバルブをクランクカバーに設けた。さらに、バルブを押さえるためのプレートを設け、プレートにバルブの開口と連通する空気孔を設けた。尚、プレートを用いる代わりにクランクカバーのバルブを装着する貫通穴の内壁に円周溝を設け、バルブに円環状の凸部を設けて凸部を円周溝に嵌挿させるようにしてバルブをクランクカバーに装着しても良い。
【発明の効果】
【００１９】
本発明によれば、外気から密閉空間へのみ空気を通す圧力調整手段を設けたので、密閉空間の圧力低下を抑制することが可能となり、密閉空間内部が負圧となることにより生ずる打撃不良を防止することができ、安定した製品を提供することができる。また、圧力調整手段は、所定以上の圧力差を生じたときに空気を一方向にのみ通すバルブであるので、構造が単純なうえ安定して稼働させることができる。
【００２１】
本発明によれば、バルブはゴム製のワンウェイバルブであるので安価に製造でき、コストアップを最小に抑えることができる。また、空気を一方向にのみ通すバルブは、圧力差だけで動作し、その動作のために動力を必要としないので、打撃工具の停止時においても効果的に圧力を調整することができる。さらに、バルブをクランクカバーに設けたので、クランクカバーの構成を変更するだけで容易にバルブを取り付けることができる。さらに、バルブをクランクカバーに取り付けることにより、組立性を悪化させることを防止できる。
【００２３】
本発明によれば、バルブを押さえるためのプレートを設けたので、バルブの脱落を防止することができる。さらに、プレートにバルブの開口と連通する空気孔を設けたので、バルブからの空気の流れを阻害することがない。また、クランクカバーのバルブを装着する貫通穴の内壁に円周溝を設け、バルブの凸部を円周溝に嵌挿させることでバルブをクランクカバーに装着したので、クランクカバーの構造を変更するだけで容易に本願発明を実現できる。
【００２８】
本発明の上記及び他の目的ならびに新規な特徴は、以下の明細書の記載及び図面から明らかになるであろう。
【図面の簡単な説明】
【００２９】
【図１】本発明の実施例に係る打撃工具（ハンマドリル１）の全体構成を示す断面図（一部側面図）である。
【図２】（１）は図１のバルブ６０の断面図であり、（２）はバルブ６０付近の部分断面図である。
【図３】図１のクランクカバー５０の形状を示す斜視図である。
【図４】本発明の第２の実施例に係る打撃工具（ハンマドリル１’）の全体構成を示す断面図（一部側面図）である。
【図５】図４のバルブ６０付近の部分拡大図である。
【図６】従来の打撃工具（ハンマドリル１０１）の全体構造を示す断面図である
【図７】従来の打撃工具（ハンマドリル１０１）における密閉空間７０を説明するための図である。
【発明を実施するための形態】
【実施例１】
【００３０】
以下、本発明の実施例を図面に基づいて説明する。なお、以下の図において、図６及び図７で示した従来例のハンマドリル１０１と同一の部分には同一の符号を付し、繰り返しの説明を省略する。また、本明細書においては、前後上下、左右の方向は図中に示す方向であるとして説明する。図１は本発明の実施例に係る打撃工具（ハンマドリル１）の全体構成を示す断面図（一部側面図）である。
【００３１】
ハンマドリル１は、モータ３１の回転力によってクランクシャフト１１を回転させ、コンロッド１２によりモータ３１の回転力を往復運動に変換し、シリンダ１７内に設けられたピストン１４を前後方向に往復動させる。シリンダ１７内において、空気室１５の圧力が上昇したり低下したりすることによってストライカ１９を連動して移動させると共に、シリンダ１７に着脱可能に保持された先端工具の端部と当接可能なセカンドハンマ２０を打撃する。これら先端工具に打撃力を伝達する打撃機構部にはグリス等の潤滑剤が充填され、各々の軸にはオイルシールやＯリング１６、２１等を設けられ、密閉空間７０（図７参照）の内部と外気を遮断し、潤滑剤の外部への流出を防止する。
【００３２】
本実施例では、密閉空間７０を画定するクランクカバー５０に機体内部と外気通気可能に貫通孔を設け、貫通孔に空気が一方向へのみ通過可能なバルブ６０を取り付けた。バルブ６０は、例えばゴム製のバルブであり、密閉空間の気圧が外気よりも低い場合に、外気を密閉空間内に通すが、この逆方向には空気を流さないワンウェイバルブである。密閉空間内は、ピストン１４の往復動によって内部圧力が大きく変動するのでバルブ６０が貫通孔から抜け落ちないように、抜け止めとして押さえ用のプレート６５を設けている。プレート６５は、その一端がボルト６８によってクランクケース２によって固定される。クランクケース２には、ボルト６８を螺合させるためのネジ溝が形成されたネジボス２ａが形成される。
【００３３】
図２（１）は図１のバルブ６０の断面図であり、（２）はバルブ６０付近の部分断面図である。図２（１）に示すように、バルブ６０は略円筒形のベース部材６０ａの先端側（前側）に延びる２つの対向する面６０ｂで構成され、この２つの面６０ｂはゴムの弾性力により固く密着される。２つの面６０ｂは分離して形成されるわけではなく、潰されたホースの先端のような形状となっている。ベース部材６０ａの後端側には、全周に渡って径が大きくなったフランジ部６０ｄが形成される。フランジ部６０ｄは、ベース部材６０ａよりも外周側に突出する凸部でもあり、貫通孔にバルブ６０を挿入する際に貫通孔の内部に深く入りすぎないようにするためのストッパの役割を果たす。
【００３４】
バルブ６０の他方の端部（後側）には、円形の開口部６０ｃが設けられる。バルブ６０は、密閉空間の内部の圧力が大気圧よりも低くなった場合には、大気圧が２つの面６０ｂの密着状態を保つ力（密閉空間内部の気圧に影響される）に打ち勝って、２つの面の密着状態が解除されて外気が矢印６１ａの方向に流れ、密閉空間の内部に流入する。外気が密閉空間の内部に流入すると、密閉空間内の気圧が大気圧とほぼ等しくなるので、再び２つの面６０ｂはゴムの弾性力により固く密着される状態となる。一方、密閉空間の内部の圧力が外部の圧力（大気圧）よりも高い場合には、２つの面６０ｂの外側からこれらを押さえつける強い力が作用する。従って、矢印６１ｂの方向には空気を流すことはない。
【００３５】
図２（２）はバルブ６０をクランクカバー５０に形成された貫通孔５１に固定した状態を示すものである。貫通孔５１は、クランクカバー５０の壁面に前後方向に形成された貫通する孔であり、バルブ６０のベース部材６０ａとほぼ同等の径を有する。貫通孔５１の後端側には、バルブ６０のフランジ部６０ｄの形状に対応するような段差部５２が形成される。この段差部５２は、貫通孔５１の内部側から見たら凹部となるものであって、段差部５２を設けることによって、貫通孔５１の後方側から挿入されるバルブ６０が密閉空間側に抜け落ちないように保持する。一方、ハンマドリル１の打撃時には、密閉空間内部の圧力変動があり密閉空間側の圧力が外気圧よりも高くなる場合もあり得る。その場合に、バルブ６０が貫通孔５１から後方に抜け落ちないように、その後端面を押さえ用のプレート６５によって固定される。
【００３６】
押さえ用のプレート６５は上下方向に延びる２つの鉛直面６５ａ、６５ｃと、前後方向に延びるものであって、鉛直面６５ａ、６５ｃの一辺を接続する水平面６５ｂの３つの部分から構成され、１枚の金属板を曲げることによって形成される。鉛直面６５ａには、バルブ６０の開口部と同軸に形成された貫通穴６６が形成される。貫通穴６６はバルブ６０の開口部６０ｃを通過する空気を通せばよいので、貫通穴６６の大きさはバルブ６０の開口部６０ｃよりも小さくても良い。一方、プレート６５の鉛直面６５ｃには、ボルト６８を貫通させるための貫通穴６７が形成される。貫通穴６７の前方側においては、クランクケース２の壁面から後方に延びるネジボス２ａが形成され、その内周面に雌ねじが形成される。以上のように構成することにより、プレート６５をボルト６８によってクランクケース２に固定することができ、固定されたプレートの鉛直面６５ａがバルブ６０の開口部を有する後面を前方に押さえることによってバルブ６０をクランクカバー５０に良好に固定することができる。
【００３７】
尚、本実施例の押さえ機構は、バルブ６０の開口部６０ｃを後方側から押さえているだけであり、接着剤などを用いることなく固定できるので、図１及び図２のようにバルブ６０をクランクカバー５０に取り付けたままで、クランクカバー５０をハンマドリル１の本体部から取り外すことができる。また、本実施例による圧力調整手段を実現するためには、クランクケース２にネジボス２ｂを形成することと、クランクカバー５０の形状を変更するだけに実現でき、その他のハンマドリル１の構成には何ら変更を加える必要がないので、コストアップを最小に抑えつつ本実施例を実現することができる。
【００３８】
次に、図３を用いてクランクカバー５０の形状を説明する。クランクカバー５０はクランクケース２の上方に取り付けられるものであって、密閉空間の円形の開口部（図示せず）を覆う円筒部５３が形成される。円筒部５３は、内部が複数のリブ５４によって補強され、気圧変動にも良好に耐えられるように強固に構成される。本実施例では、クランクカバー５０の後端側において、円筒部５３の内側とクランクカバー５０の外部とを連通させる貫通孔５１が形成され、貫通孔５１にバルブ６０が嵌挿される。円筒部５３の内周側の上面（天井面）は閉鎖され、この上面から左右に延在する上面部５０ａが形成され、さらに上面部５０ａの両側面から下方向に、側面５０ｂが延びるように形成される。クランクカバー５０は、例えばプラスチック等の高分子樹脂にて製造され、ハンマドリル１０１の外郭（ハウジング構成）の一部を構成するものである。
【００３９】
このように、本実施例ではクランクカバー５０の形状を変更し、空気を一方向にだけ通過させるバルブ６０を追加した。この構成においてハンマドリル１を運転すると、打撃機構部の発熱により機体内部の温度が上昇し、密閉空間内の圧力が上昇する。上昇した圧力はオイルシールやＯリングから外部へ流出するが、その際にもバルブ６０を介して空気が流出する恐れはない。その後、ハンマドリル１の運転を停止すると打撃機構部の温度が下がり、密閉空間内の圧力が負圧になる。密閉空間内部の圧力が負圧になると、バルブ６０から外気が打撃機構部へ流入する。このように本実施例では、ハンマドリル１の非稼働時において効果的に密閉空間内の圧力調整を行うことができるので、安定して動作させることができるハンマドリルを実現できる。
【実施例２】
【００４０】
次に図４及び図５を用いて本発明の第二の実施例について説明する。図４は、本発明の第２の実施例に係る打撃工具（ハンマドリル１’）の全体構成を示す断面図（一部側面図）である。第２の実施例においては、クランクケースカバー８０にバルブ６０を設ける点で第１の実施例と同様である。また、バルブ６０の形状、材質は第１の実施例で用いたバルブと同一であり、外気から密閉空間の内部への方向にのみ空気が通過できる。しかしながら、第２の実施例においては、クランクケースカバー８０の形状を工夫することによって、バルブ６０を押さえる別部材、例えば第１の実施例のプレート６５を用いなくても済むようにした。そのため、貫通孔８１の内面にバルブ６０の抜け止めとなるような形状加工を行い、バルブ６０を固定するようにした。
【００４１】
第２の実施例においては、クランクケースカバー８０に形成される貫通孔８１の内径が一定でなく、後端よりも手前の部分で円環状に外径が太くなる太径部８２を設けて、そこにバルブ６０のフランジ部６０ｄが係合するようにした。そのため、バルブ６０をクランクケースカバー８０に装着する際には、図５の矢印８６に示すように前方側からバルブ６０を貫通孔８１に押し込むようにした。バルブ６０はゴム製であるので弾力があり塑性変形しやすいので貫通孔８１に押し込むことが可能である。また、一端押し込んでしまうとバルブ６０のフランジ部６０ｄが太径部８２に良好に係合するので外れる恐れはない。しかも取り付け方向が、クランクケースカバー８０の内側から外側に向かってであり、ハンマドリル１’の動作時に高気圧になる側からの固定となるの、長期にわたる使用により外れる恐れはなく、安定して動作できる内部圧力調整機構を実現できる。
【００４２】
貫通孔８１には、密閉空間内部から外部まで同径を維持するのではなく、内部の開口８４の部分が小さくなるように壁面８３を設けた。この壁面８３はバルブ６０の開口部６０ｃと良好に当接するので、バルブ６０の内側方向から外側方向への抜けを防止するのに大きな役割を果たす。第１の実施例同様に第２の実施例では、バルブ６０の開口部６０ｃは、ハンマドリル１の外気（外郭部分よりも外側の空気）に直接曝すのではなく、ハンマドリル１のハウジング部分の内部であって、大気圧と同じ部分９０（図４参照）に開口するようにした。このように圧力調整手段たるバルブ６０の大気圧側の開口が、ハウジングの内部空間内に位置するので、バルブ６０の開口部６０ｃにゴミ等が詰まる恐れを著しく低下させることができ、長期間にわたって安定して動作させることができる。
【００４３】
第２の実施例によれば、バルブ６０を新たに固定するために従来のクランクケースカバー１５０（図６参照）に替えて、第２の実施例によるクランクケースカバー８０を取り付けるだけで済むので、本発明の実施のための部品変更は最小で済み、クランクケース１０２については従来例のクランクケース１０２（図６参照）を改造無しにそのまま用いることができる。
【００４４】
以上、本発明を実施例に基づいて説明したが、本発明は上述の実施例に限定されるものではなく、その趣旨を逸脱しない範囲内で種々の変更が可能である。例えば、上述の実施例においてはクランクケースカバーの後側にバルブを設けるようにしたが、バルブを設ける位置はこれだけに限られずに、クランクケースの任意の位置に設けるようにしても良い。さらには、バルブを設ける位置はクランクケースに限られるものではなく、密閉空間から大気圧となる部分の境界部分の任意の箇所にバルブを設けるように構成しても良い。
【００４５】
上述の実施例においては、打撃工具の例としてハンマドリルで説明したが、本発明はハンマドリルだけに限られずに、密閉空間を有するその他の打撃工具においても同様に適用できる。さらに、上述の実施例において圧力調整手段としてゴム製のバルブを用いたが、これだけに限られずに、その他のワンウェイバルブや、機械的構成の圧力調整手段であっても良い。
【符号の説明】
【００４６】
１  ハンマドリル      ２  クランクケース      ２ａ  ネジボス
２ｂ  ネジボス      ３  ハンドルハウジング      ４  シリンダケース
５  ケース      ６  グリップ      ７  工具保持部
８  モータハウジング      ９  ピストン      １０  クランクウェイト
１１  クランクシャフト      １２  コンロッド      １３  ピストンピン
１４  ピストン      １５  空気室      １６  Ｏリング
１７  シリンダ      １７ａ、１７ｂ  連通孔
１８  シリンダ周辺部      １９  ストライカ      ２０  セカンドハンマ
２１  Ｏリング      ２２  リテーナスリーブ      ２４  取付穴
２９  トリガ      ３０  電源ケーブル      ３１  モータ
３２  出力軸      ３３  冷却ファン      ３４  ベアリング
３５  ピニオンギヤ      ３６  メタル      ３７  ギヤ
３８  クランク軸      ３９  ベアリング      ５０  クランクカバー
５０ａ  上面部      ５０ｂ  側面      ５１  貫通孔
５２  段差部      ５３  円筒部      ５４  リブ      ６０  バルブ
６０ａ  ベース部材      ６０ｂ  （対向する）面      ６０ｃ  開口部
６０ｄ  フランジ部      ６５  プレート      ６５ａ  鉛直面
６５ｂ  水平面      ６５ｃ  鉛直面      ６６  貫通穴
６７  貫通穴      ６８  ボルト      ７０  密閉空間
８０  クランクケースカバー      ８１  貫通孔      ８２  太径部
８３  壁面      ８４  開口      １０１  ハンマドリル
１０２  クランクケース      １０８  モータハウジング
１５０  クランクケースカバー
【図１】
0005630309.tif 000002
【図２】
0005630309.tif 000003
【図３】
0005630309.tif 000004
【図４】
0005630309.tif 000005
【図５】
0005630309.tif 000006
【図６】
0005630309.tif 000007
【図７】
0005630309.tif 000008